【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
クライアントからの要求に応じて処理結果を返答するサーバの機能を有するページデータ生成制御装置であって、
前記クライアントからの接続を識別する接続識別情報とクライアントにより要求されたページを示すページ情報とを格納する格納手段と、
前記クライアントからの要求に応じて、要求された処理を行う処理手段と、
前記クライアントから処理が要求された場合に、前記格納手段に格納されている前記接続識別情報と前記ページ情報に基づいて前記処理手段に要求された処理を実行させるか否かを制御する制御手段と、を有することを特徴とするページデータ生成制御装置。
【請求項２】
前記処理手段は、前記クライアントに返送する処理結果を共通のページ記述言語で記述することを特徴とする請求項１記載のページデータ生成制御装置。
【請求項３】
前記処理結果は、ハイパーテキスト形式の文書を記述するための所定のページ記述言語で記述されており、前記処理手段は、ＣＧＩプログラムを用いていることを特徴とする請求項１乃至２記載のページデータ生成制御装置。
【請求項４】
前記格納手段は、更に前記クライアントからの要求を発生したブラウザのフレームを識別するページ識別情報を有しており、少なくとも１つの前記接続識別情報に対して１つ以上の前記ページ識別情報が格納され、１つの前記ページ識別情報に対して１つ以上の前記ページ情報が格納されている階層構造をなしていることを特徴とする請求項１乃至３記載のページデータ生成制御装置。
【請求項５】
前記接続識別情報と前記ページ識別情報と前記ページ情報と、前記クライアントにより要求された処理に関連する情報とを接続履歴として前記格納手段の履歴テーブルに管理することを特徴とする請求項４記載のページデータ生成制御装置。
【請求項６】
前記クライアントから処理が要求されたときに、前記格納手段に管理されている前記ページ情報或いは前記ページ識別情報を前記接続識別情報に基づいて更新する更新手段を更に有することを特徴とする請求項４記載のページデータ生成制御装置。
【請求項７】
前記クライアントから処理が要求されたときに、該要求されたページを識別する識別手段を更に有し、
前記更新手段は、前記識別手段による識別結果に基づいて、前記ページ識別情報を更新することを特徴とする請求項６記載のページデータ生成制御装置。
【請求項８】
前記クライアントから要求されたページが前記格納手段に管理されている最新の前記ページ情報の示すページよりも前に戻った際に前記クライアントから要求された処理の実行を許可するか否かを示す許可情報を生成する許可情報生成手段を更に有し、
前記制御手段は、前記許可情報がページを戻ることを許可している場合に、前記クライアントから要求されたページに対応する前記ページ情報と前記処理情報を考慮して、前記処理手段に前記クライアントにより要求された処理を処理させるよう制御することを特徴とする請求項５記載のページデータ生成制御装置。
【請求項９】
前記許可情報がページを戻ることを許可されていない場合に、その旨を前記クライアントに通知することを特徴とする請求項８記載のページデータ生成制御装置。
【請求項１０】
前記許可情報生成手段は、前記クライアントから要求により処理が行われたときに、そのページに対して次の処理でページが戻れるか否かを示す前記許可情報を生成することを特徴とする請求項８乃至９記載のページデータ生成制御装置。
【請求項１１】
前記処理は、検索処理であることを特徴とする請求項１乃至１０記載のページデータ生成制御装置。
【請求項１２】
前記許可情報生成手段は、前記クライアントから要求された処理が検索処理であるときに、ページを戻ることを許可する許可情報を生成することを特徴とする請求項１０記載のページデータ生成制御装置。
【請求項１３】
前記処理は、印刷依頼処理であることを特徴とする請求項１乃至１０記載のページデータ生成制御装置。
【請求項１４】
前記許可情報生成手段は、前記クライアントから要求された処理が印刷依頼処理であるときに、ページを戻ることを禁止する許可情報を生成することを特徴とする請求項１０記載のページデータ生成制御装置。
【請求項１５】
前記履歴テーブルに管理されている前記接続履歴を消去する消去手段を更に有することを特徴とする請求項５記載のページデータ生成制御装置。
【請求項１６】
前記消去手段は、前記クライアントから接続終了依頼が受信されたときに、前記接続履歴を消去することを特徴とする請求項１５記載のページデータ生成制御装置。
【請求項１７】
前記消去手段は、前記クライアントからの最後の要求から所定時間経過したときに、前記接続履歴を消去することを特徴とする請求項１５記載のページデータ生成制御装置。
【請求項１８】
前記クライアントとインターネットを介してデータの送受信を行っていることを特徴とする請求項１記載のページデータ生成制御装置。
【請求項１９】
クライアントからの要求に応じて処理結果を返答するページデータ生  成制御方法であって、
前記クライアントからの接続を識別する接続識別情報とクライアントにより要求されたページを示すページ情報とを管理し、
前記クライアントから処理が要求された場合に、管理されている前記接続識別情報と前記ページ情報に基づいて、前記クライアントから要求された処理を実行させるか否かを判断し、
前記判断結果に基づいて、処理手段を用いて前記クライアントから要求要求された処理を行うことを特徴とするページデータ生成制御方法。
【請求項２０】
クライアントからの要求に応じて処理結果を返答するページデータ生成プログラムが格納された記憶媒体であって、
前記クライアントからの接続を識別する接続識別情報とクライアントにより要求されたページを示すページ情報とを管理し、
前記クライアントから処理が要求された場合に、管理されている前記接続識別情報と前記ページ情報に基づいて、前記クライアントから要求された処理を実行させるか否かを判断し、
前記判断結果に基づいて、処理手段を用いて前記クライアントから要求要求された処理を行うことを特徴とするコンピュータ読み取り可能なプログラムが格納された記憶媒体。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】